(57)【特許請求の範囲】
【請求項１】
走査線、発光制御線及びデータ線の交差部に位置する多数の画素を含む画素部と、
前記走査線及び発光制御線にそれぞれ走査信号及び発光制御信号を供給する走査駆動部と、
前記データ線にデータ信号を供給するデータ駆動部と、
外部条件を感知して前記外部条件に対応する感知信号を出力する外部条件感知センサと、
前記外部条件感知センサの出力ラインに接続されるセンサ出力安定化部と
を含み、
前記センサ出力安定化部は、前記外部条件感知センサの出力ラインと交差する前記走査駆動部の一部の入／出力ラインと前記外部条件感知センサの出力ラインとの間に接続されるインバータと、前記インバータの出力ラインと前記外部条件感知センサの出力ラインとの間に接続されるキャパシタとを備える、
有機電界発光表示装置。
【請求項２】
前記外部条件感知センサと前記データ駆動部との間に接続されたセンサ出力増幅部を更に含み、前記インバータ及びキャパシタは前記センサ出力増幅部の入力端と前記走査駆動部の一部の入／出力ラインとの間に接続されたことを特徴とする、請求項１に記載の有機電界発光表示装置。
【請求項３】
前記インバータと接続される前記走査駆動部の一部の入／出力ラインは、交流形態の走査駆動制御信号を前記走査駆動部に供給する入力ラインとして設定されたことを特徴とする、請求項１に記載の有機電界発光表示装置。
【請求項４】
前記入力ラインは、前記発光制御信号のスタートパルスを前記走査駆動部に供給する入力ラインであることを特徴とする、請求項３に記載の有機電界発光表示装置。
【請求項５】
前記インバータと接続される前記走査駆動部の一部の入／出力ラインは、前記走査駆動部で生成された交流形態の前記走査信号又は発光制御信号を前記走査駆動部から出力する出力ラインとして設定されたことを特徴とする、請求項１に記載の有機電界発光表示装置。
【請求項６】
前記外部条件感知センサは、周辺光の強度を感知してこれに対応する光感知信号を出力する光感知センサ部を含むことを特徴とする、請求項１に記載の有機電界発光表示装置。
【請求項７】
前記外部条件感知センサは、周辺温度を感知してこれに対応する温度感知信号を出力する温度感知センサ部を含むことを特徴とする、請求項１に記載の有機電界発光表示装置。
【請求項８】
前記外部条件感知センサは、互いに異なる複数の外部条件に応じて感知して前記複数の外部条件に対応する感知信号のそれぞれを出力する複数の出力ラインを備える複数の感知センサ部を含み、
前記インバータ及びキャパシタは前記複数の出力ライン毎にそれぞれ形成されることを特徴とする、請求項１に記載の有機電界発光表示装置。
【請求項９】
前記外部条件感知センサから出力された感知信号は、前記データ駆動部を制御することを特徴とする、請求項１に記載の有機電界発光表示装置。
【請求項１０】
前記データ駆動部は、前記感知信号に対応して前記データ信号の電圧レベル又は電流量を調節することを特徴とする、請求項９に記載の有機電界発光表示装置。
【発明の詳細な説明】
【技術分野】
【０００１】
本発明は有機電界発光表示装置に関し、特に、外部条件感知センサの出力を安定化できる有機電界発光表示装置に関する。
【背景技術】
【０００２】
最近、陰極線管と比較して重さが軽くて体積が小さな各種平板表示装置（Ｆｌａｔ  Ｐａｎｅｌ  Ｄｉｓｐｌａｙ  Ｄｅｖｉｃｅ）が開発されている。平板表示装置のうち、特に有機電界発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ）は有機化合物を発光材料として用いて輝度及び色純度に優れていることから、次世代の表示装置として注目されている。
【０００３】
このような有機電界発光表示装置は、軽薄であり、低電力でも駆動が可能であるため、携帯用表示装置などに有用に用いられるものと期待されている。
【０００４】
但し、有機電界発光表示装置が搭載された携帯用表示装置は、多様な外部環境に露出し得る。従って、有機電界発光表示装置は周辺光の強度と周辺温度などの外部条件に応じてその視認性が変わり得る。
【０００５】
従って、外部条件に応じてユーザの肉眼に適した視認性を提供し、有機電界発光表示装置が過度に発光するのを防止するためには、外部条件に応じて有機電界発光表装置の出力輝度を調節する必要がある。
【０００６】
このために、有機電界発光表示装置には、外部条件を感知して感知信号を出力し、感知信号により駆動回路を制御する外部条件感知センサが備えられ得る。
【０００７】
但し、外部条件感知センサの出力は、微細な電流信号であり得る。例えば、外部条件感知センサが周辺光の強度に対応する光感知センサ部で構成される場合、光感知センサ部は微細な電流値を有する光感知信号を出力できる。
【０００８】
このような外部条件感知センサの出力は、周辺回路や信号線などにより影響を受け易い。これにより、外部条件感知センサの出力が不安定になり、外部条件に対応して信頼性が維持されるように有機電界発光表示装置の出力輝度を調節することは難しいという問題が生じる。
【０００９】
【特許文献１】大韓民国特許公開第２００５−００３６２４６号
【特許文献２】大韓民国特許公開第２００４−００５８０１５号
【発明の開示】
【発明が解決しようとする課題】
【００１０】
そこで、本発明は上記事情に鑑みてなされたものであって、その目的は、外部条件感知センサの出力を安定化できるようにした有機電界発光表示装置を提供することにある。
【課題を解決するための手段】
【００１１】
前記目的を達成するために、本発明は、走査線、発光制御線及びデータ線の交差部に位置する多数の画素を含む画素部と、前記走査線及び発光制御線にそれぞれ走査信号及び発光制御信号を供給する走査駆動部と、前記データ線にデータ信号を供給するデータ駆動部と、外部条件を感知して前記外部条件に対応する感知信号を出力する外部条件感知センサと、前記外部条件感知センサの出力ラインに接続されるセンサ出力安定化部とを含み、前記センサ出力安定化部は、前記外部条件感知センサの出力ラインと交差する前記走査駆動部の一部の入／出力ラインと前記外部条件感知センサの出力ラインとの間に接続されるインバータと、前記インバータの出力ラインと前記外部条件感知センサの出力ラインとの間に接続されるキャパシタとを備えた、有機電界発光表示装置を提供する。
【００１２】
ここで、前記有機電界発光表示装置は、前記外部条件感知センサと前記データ駆動部との間に接続されたセンサ出力増幅部を更に含み、前記インバータ及びキャパシタは、前記センサ出力増幅部の入力端と前記走査駆動部の一部の入／出力ラインとの間に接続されてもよい。
【００１３】
また、前記インバータと接続される前記走査駆動部の一部の入／出力ラインは、交流形態の走査駆動制御信号を前記走査駆動部に供給する入力ラインとして設定されることができる。ここで、前記入力ラインは前記発光制御信号のスタートパルスを前記走査駆動部に供給する入力ラインとして設定されることができる。
【００１４】
更に、前記インバータと接続される前記走査駆動部の一部の入／出力ラインは、前記走査駆動部で生成された交流形態の前記走査信号又は発光制御信号を前記走査駆動部から出力する出力ラインとして設定されることができる。
【００１５】
また、前記外部条件感知センサは、周辺光の強度を感知してこれに対応する光感知信号を出力する光感知センサ部を含むことができる。更に、前記外部条件感知センサは周辺温度を感知してこれに対応する温度感知信号を出力する温度感知センサ部を含むことができる。
【００１６】
また、前記外部条件感知センサは、互いに異なる複数の外部条件に応じて感知して前記複数の外部条件に対応する感知信号のそれぞれを出力する複数の出力ラインを備える複数の感知センサ部を含み、前記インバータ及びキャパシタは前記複数の出力ライン毎にそれぞれ形成されることができる。
【００１７】
更に、前記外部条件感知センサから出力された感知信号は前記データ駆動部を制御できる。ここで、前記データ駆動部は、前記感知信号に対応して前記データ信号の電圧レベル又は電流量を調節できる。
【発明の効果】
【００１８】
このような本発明による有機電界発光表示装置によれば、外部条件感知センサの出力ラインにセンサ出力安定化部を接続させて、重畳配置された信号線のカップリング作用による感知信号の変動を補償できるという効果を奏する。
【００１９】
これにより、外部条件感知センサの出力が安定化するので、外部条件の変化に応じて信頼性があるように対応できる有機電界発光表示装置を提供できる。
【発明を実施するための最良の形態】
【００２０】
以下、添付の図面を参照しつつ、本発明の実施形態を説明する。ここで、第１構成要素と第２構成要素が連結されると説明するにあたり、第１構成要素は第２構成要素と直接連結されてもよく、第３構成要素を介して第２構成要素と間接的に連結されてもよい。また、本発明の完全な理解のための必須でない構成要素は明確性を図るために省略する。更に、同一部分には同一符号を付す。
【００２１】
図１は、本発明の一実施形態に係る有機電界発光表示装置を示す平面図である。
【００２２】
図１を参照すれば、本発明の一実施形態に係る有機電界発光表示装置は、画素部１００、第１及び第２走査駆動部２００ａ、２００ｂ、データ駆動部３００、外部条件感知センサ４００、センサ出力増幅部５００、センサ出力安定化部６００及びパッド部７００を含む。
【００２３】
画素部１００は、走査線Ｓ１〜Ｓｎ、発光制御線Ｅ１〜Ｅｎ及びデータ線Ｄ１〜Ｄｍの交差部に位置する多数の画素１１０を含む。このような画素部１００は、走査線Ｓ１〜Ｓｎ、発光制御線Ｅ１〜Ｅｎ及びデータ線Ｄ１〜Ｄｍからそれぞれ走査信号、発光制御信号及びデータ信号の供給を受ける。また、画素部１００はパッド部７００を介して第１及び第２画素電源ＥＬＶＤＤ、ＥＬＶＳＳの供給を更に受ける。このような画素部１００は、走査信号、発光制御信号、データ信号、第１及び第２画素電源ＥＬＶＤＤ、ＥＬＶＳＳに対応して映像を表示する。
【００２４】
第１及び第２走査駆動部２００ａ、２００ｂは、パッド部７００から供給される走査駆動制御信号に対応して走査信号及び発光制御信号を生成する。
【００２５】
例えば、第１走査駆動部２００ａは、パッド部７００から走査信号を生成するためのスタートパルス、クロック信号及び出力イネーブル信号などの供給を受け、これに対応して走査信号を生成できる。第１走査駆動部２００ａで生成された走査信号は走査線Ｓ１〜Ｓｎに順次供給される。
【００２６】
そして、第２走査駆動部２００ｂは、パッド部７００から発光制御信号を生成するためのスタートパルス及びクロック信号などの供給を受け、これに対応して発光制御信号を生成できる。第２走査駆動部２００ｂで生成された発光制御信号は発光制御線Ｅ１〜Ｅｎに順次供給される。
【００２７】
一方、図１では画素部１００の両側に位置してそれぞれ走査線Ｓ１〜Ｓｎ及び発光制御線Ｅ１〜Ｅｎに走査信号及び発光制御信号を供給する２つの走査駆動部２００ａ、２００ｂを示したが、本発明はこれに限定されるものではない。
【００２８】
例えば、１つの走査駆動部で走査信号及び発光制御信号をいずれも生成するか、或いはこの走査駆動部で発光制御信号は生成せずに走査信号のみを生成することもできる。又は、両側に走査駆動部を備え、一側の走査駆動部では走査信号及び発光制御信号の一部を生成し、他側の走査駆動部では走査信号及び発光制御信号の残りの部分を生成することもできる。
【００２９】
データ駆動部３００はパッド部７００から供給されるデータ駆動制御信号及びデータに対応してデータ信号を生成する。データ駆動部３００で生成されたデータ信号はデータ線Ｄ１〜Ｄｍに供給される。一方、本発明において、データ駆動部３００は外部条件感知センサ４００から出力される感知信号に対応して画素部１００の出力輝度を調節するように設定されることができる。例えば、データ駆動部３００は電圧駆動方式の場合、感知信号に対応してデータ信号の電圧レベルを調節できる。又は、データ駆動部３００は、電流駆動方式の場合、感知信号に対応してデータ信号の電流量を調節することもできる。
【００３０】
外部条件感知センサ４００は、外部条件を感知して外部条件に対応する感知信号を出力する。
【００３１】
例えば、外部条件感知センサ４００は、光感知素子を備えて周辺光の強度を感知し、これに対応する光感知信号を出力する光感知センサ部を含むことができる。また、外部条件感知センサ４００は、温度感知素子を備えて周辺温度を感知し、これに対応する温度感知信号を出力する温度感知センサ部を含むことができる。
【００３２】
便宜上、本実施形態では外部条件感知センサ４００が光感知センサ部及び温度感知センサ部を備えるものと仮定して説明する。この場合、外部条件感知センサ４００は、少なくとも２つの出力ラインにそれぞれ光感知信号及び温度感知信号を出力するように設計されることができる。
【００３３】
センサ出力増幅部５００は、外部条件感知センサ４００とデータ駆動部３００との間に接続される。このようなセンサ出力増幅部５００は、外部条件感知センサ４００から感知された感知信号（例えば、光感知信号及び温度感知信号）の電流値（又は電圧値）を増幅する増幅回路を含む。即ち、センサ出力増幅部５００は、外部条件感知センサ４００から供給された感知信号を増幅してデータ駆動部３００に供給する。
【００３４】
センサ出力安定化部６００は、外部条件感知センサ４００の出力ラインに接続される。このようなセンサ出力安定化部６００は、外部条件感知センサ４００の出力ラインがほぼフローティング状態である点を勘案して外部条件感知センサ４００の出力を安定させるために備えられる。
【００３５】
より具体的には、外部条件感知センサ４００の出力は微細な電流値（例えば、１００ｎＡ以下の電流値）で表すことができる。このとき、別途の電源が外部条件感知センサ４００の出力ラインに接続されず、微細な電流のみ出力される場合には、外部条件感知センサ４００の出力ラインがフローティング状態であると見ることができる。この場合、外部条件感知センサ４００の出力ラインに出力される感知信号は周辺回路や信号線などにより影響を受けて変動し得る。
【００３６】
特に、単価の側面などを考慮して有機電界発光表示装置のパネル内に外部条件感知センサ４００及びセンサ出力増幅部５００を備えることができる。この場合、これらを配置する過程で外部条件感知センサ４００の出力ラインが第１及び／又は第２走査駆動部２００ａ、２００ｂの入力ライン及び／又は出力ライン（以下、入／出力ラインという）の少なくとも一部と交差するように重畳配置されることができる。ここで、第１及び／又は第２走査駆動部２００ａ、２００ｂの入力ラインは、第１及び／又は第２走査駆動部２００ａ、２００ｂを駆動させるためのスタートパルス、クロック信号及び／又は駆動電源を供給するラインを含む。そして、第１及び／又は第２走査駆動部２００ａ、２００ｂの出力ラインは、第１及び／又は第２走査駆動部２００ａ、２００ｂから出力される走査信号及び／又は発光制御信号（例えば、最終端の走査信号及び／又は発光制御信号）をパッド部７００を介して出力してテストするためのラインを含むことができる。
【００３７】
例えば、有機電界発光表示装置のパネル両側（図１の左、右側）には第１及び／又は第２走査駆動部２００ａ、２００ｂが配置されるので、効率的な空間配置のために、外部条件感知センサ４００及びセンサ出力増幅部５００はパネル両側を除いた上、下側に備えられることができる。特に、外部条件感知センサ４００及びセンサ出力増幅部５００の大きさ及びパネル上、下側のダミー空間を考慮して外部条件感知センサ４００及びセンサ出力増幅部５００をそれぞれパネルの上側と下側に位置させることができる。
【００３８】
このとき、センサ出力増幅部５００はデータ駆動部３００までの距離短縮及び出力端子の特性測定を容易にするために、データ駆動部３００の一側に位置し得る。例えば、センサ出力増幅部５００は図１に示すように、第２走査駆動部２００ｂの下側及びデータ駆動部３００の右側ダミー領域に位置し得る。
【００３９】
但し、この場合、外部条件感知センサ４００からセンサ出力増幅部５００に連結される外部条件感知センサ４００の出力ラインが第２走査駆動部２００ｂの入／出力ラインと交差するように重なって形成されることができる。即ち、外部条件感知センサ４００の出力ラインと第２走査駆動部２００ｂの入／出力ラインとの間には寄生キャパシタが形成し得る。
【００４０】
第２走査駆動部２００ｂの入／出力ラインには第２走査駆動部２００ｂを駆動するための走査制御信号が供給される。例えば、第２走査駆動部２００ｂが発光制御信号を生成する走査駆動部として設定される場合、第２走査駆動部２００ｂの入力ラインにはそれぞれ発光制御スタートパルス、第１及び第２発光制御クロック信号、第２走査駆動部２００ｂの入力電源などが入力され得る。そして、第２走査駆動部２００ｂの出力ラインにはテストなどのために、第２走査駆動部２００ｂの最終端に出力される発光制御信号などが出力され得る。即ち、便宜上、図１では第２走査駆動部２００ｂの入／出力ラインを３つであると示したが、これらの数は第２走査駆動部２００ｂに応じて多様に設定されることができる。
【００４１】
このような第２走査駆動部２００ｂの入／出力ラインに供給される走査制御信号及び／又は発光制御信号の一部は外部条件感知センサ４００の出力ラインに出力される感知信号に影響を及ぼし、感知信号を変動させ得る。
【００４２】
特に、続けて電圧レベルが変化する交流形態の走査制御信号及び／又は発光制御信号は寄生キャパシタによるカップリング作用によりフローティング状態である外部条件感知センサ４００の出力ラインの電圧レベルを変動させながら感知信号を変動させ得る。例えば、第２走査駆動部２００ｂの入力ラインに入力される発光制御信号のスタートパルスと、第２走査駆動部２００ｂの出力ラインに出力される発光制御信号は感知信号を変動させ得る。
【００４３】
従って、本発明では外部条件感知センサ４００の出力ラインと重畳配置される第２走査駆動部２００ｂの入／出力ラインのうち、外部条件感知センサ４００の出力ラインの電圧レベルを変動させ得る一部の入／出力ラインと外部条件感知センサ４００の出力ラインとの間にセンサ出力安定化部６００を接続させる。そして、図１では、このような一部の入／出力ラインをＬ１、Ｌ２の２つのラインで示す。
【００４４】
センサ出力安定化部６００は、カップリング作用による電圧レベル変動を相殺させることができるように、少なくともインバータとキャパシタを含み、これについての詳細な説明は後述する。
【００４５】
パッド部７００は、外部の駆動回路（図示せず）と接続される多数のパッドＰを備える。このようなパッド部７００は、パッドＰのそれぞれから供給される駆動電源及び／又は駆動信号をパネル内部に伝達する。例えば、パッド部７００はパッドＰのそれぞれから供給される駆動電源及び／又は駆動信号を画素部１００、第１及び第２走査駆動部２００ａ、２００ｂ、データ駆動部３００、外部条件感知センサ４００、センサ出力増幅部５００及び／又はセンサ出力安定化部６００に伝達できる。
【００４６】
前述したような本発明による有機電界発光表示装置によれば、外部条件感知センサ４００の出力ラインにセンサ出力安定化部６００を接続させて、重畳配置された信号線のカップリング作用による感知信号の変動を補償できる。
【００４７】
これにより、外部条件感知センサ４００の出力が安定化するので、外部条件の変化に応じて信頼性があるように対応できる有機電界発光表示装置を提供できる。
【００４８】
一方、図１では第２走査駆動部２００ｂの下側ダミー領域にセンサ出力増幅部５００を配置したが、本発明はこれに限定されるものではない。例えば、センサ出力増幅部５００は第１走査駆動部２００ａの下側ダミー領域に配置されることもできる。この場合、センサ出力安定化部６００は、外部条件感知センサ４００の出力ラインと重畳配置される第１走査駆動部２００ａの入／出力ラインのうち、外部条件感知センサ４００の出力ラインの電圧レベルを変動させ得る一部の入／出力ラインと外部条件感知センサ４００の出力ラインとの間に接続されてもよい。
【００４９】
また、図１では外部条件感知センサ４００がデータ駆動部３００を制御するものと示したが、本発明はこれに限定されるものではない。例えば、外部条件感知センサ４００から出力された感知信号は第１及び／又は第２走査駆動部２００ａ、２００ｂに供給されて第１及び／又は第２走査駆動部２００ａ、２００ｂで生成される走査信号及び／又は発光制御信号のパルス幅を制御することもできる。
【００５０】
図２は、図１に示したセンサ出力安定化部の構成を示す回路図である。そして、図３は、図２に示したセンサ出力安定化部のレイアウトを示す平面図である。
【００５１】
便宜上、図２〜図３では外部条件感知センサ４００の出力ラインが第１及び第２出力ラインＳｏ１、Ｓｏ２の２つに設定される。そして、外部条件感知センサ４００の第１及び第２出力ラインＳｏ１、Ｓｏ２のそれぞれに第１感知信号（例えば、光感知信号）及び第２感知信号（例えば、温度感知信号）が出力されることを仮定して示した。また、外部条件感知センサ４００の第１及び第２出力ラインＳｏ１、Ｓｏ２と交差するように配置され、交流信号を入力及び／又は出力する第２走査駆動部２００ｂの一部の入／出力ラインが第１及び第２入／出力ラインＬ１、Ｌ２の２つに設定されるものと仮定して示した。例えば、第１入／出力ラインＬ１は、パッド部７００から第２走査駆動部２００ｂに発光制御信号のスタートパルスを供給する入力ラインとして設定されることができる。そして、第２入／出力ラインＬ２は、第２走査駆動部２００ｂからパッド部７００に第２走査駆動部２００ｂで生成された少なくとも１つの発光制御信号を出力する出力ラインとして設定されることができる。しかしながら、これは単に本発明の理解を助けるための実施形態を提示したものであり、本発明はこれに限定されるものではない。
【００５２】
図２〜図３を参照すれば、センサ出力安定化部６００は、外部条件感知センサ４００の出力ラインＳｏ１、Ｓｏ２と交差する第２走査駆動部２００ｂの一部の入／出力ラインＬ１、Ｌ２と外部条件感知センサ４００の出力ラインＳｏ１、Ｓｏ２との間に接続されるインバータＩＮ１、ＩＮ２及びキャパシタＣｓ１〜Ｃｓ４を含む。特に、インバータＩＮ１、ＩＮ２及びキャパシタＣｓ１〜Ｃｓ４は外部条件感知センサ４００の出力ラインＳｏ１、Ｓｏ２の終端、即ち、センサ出力増幅部５００の入力端と第２走査駆動部２００ｂの一部の入／出力ラインＬ１、Ｌ２との間に接続される。
【００５３】
より具体的には、第１インバータＩＮ１は第２走査駆動部２００ｂの第１入／出力ラインＬ１と外部条件感知センサ４００の第１及び第２出力ラインＳｏ１、Ｓｏ２との間に接続される。そして、第１インバータＩＮ１の出力ラインと外部条件感知センサ４００の第１出力ラインＳｏ１との間には第１キャパシタＣｓ１が接続され、第１インバータＩＮ１の出力ラインと外部条件感知センサ４００の第２出力ラインＳｏ２との間には第３キャパシタＣｓ３が接続される。
【００５４】
ここで、第１インバータＩＮ１と第１キャパシタＣｓ１は、第２走査駆動部２００ｂの第１入／出力ラインＬ１と外部条件感知センサ４００の第１出力ラインＳｏ１との間に形成される第１寄生キャパシタＣｐ１による第１感知信号の変動を補償する。即ち、第１感知信号は第１寄生キャパシタＣｓ１のカップリング作用により変動しても第１インバータＩＮ１による信号反転と第１キャパシタＣｓ１のカップリング作用により変動量が相殺されてセンサ出力増幅部５００に入力される。
【００５５】
一方、第１インバータＩＮ１と第３キャパシタＣｓ３は前述したのと同一の方式で、第２走査駆動部２００ｂの第１入／出力ラインＬ１と外部条件感知センサ４００の第２出力ラインＳｏ２との間に形成される第３寄生キャパシタＣｓ３による第１感知信号の変動を補償する。
【００５６】
第２インバータＩＮ２は第２走査駆動部２００ｂの第２入／出力ラインＬ２と外部条件感知センサ４００の第１及び第２出力ラインＳｏ１、Ｓｏ２との間に接続される。そして、第２インバータＩＮ２の出力ラインと外部条件感知センサ４００の第１出力ラインＳｏ１との間には第２キャパシタＣｓ２が接続され、第２インバータＩＮ２の出力ラインと外部条件感知センサ４００の第２出力ラインＳｏ２との間には第４キャパシタＣｓ４が接続される。
【００５７】
このような第２インバータＩＮ２と第２キャパシタＣｓ２は、第２走査駆動部２００ｂの第２入／出力ラインＬ２と外部条件感知センサ４００の第１出力ラインＳｏ１との間に形成される第２寄生キャパシタＣｓ２による第２感知信号の変動を補償する。そして、第２インバータＩＮ２と第４キャパシタＣｓ４は第２走査駆動部２００ｂの第２入／出力ラインＬ２と外部条件感知センサ４００の第２出力ラインＳｏ２との間に形成される第４寄生キャパシタＣｓ４による第２感知信号の変動を補償する。
【００５８】
前述したようなセンサ出力安定化部６００は、一例として図３に示すように、レイアウトされることができる。
【００５９】
より具体的には、外部条件感知センサ４００の出力ラインＳｏ１、Ｓｏ２と重なる第１及び第２導電層１０、２０を用いて第１乃至第４キャパシタＣｓ１〜Ｃｓ４を形成できる。そして、第１導電層１０は第２走査駆動部２００ｂの第１入／出力ラインＬ１に入力端が連結される第１インバータＩＮ１と接続させる。第２導電層２０は第２走査駆動部２００ｂの第２入／出力ラインＬ２に入力端が連結される第２インバータＩＮ２と接続させる。ここで、Ｌ３及びＬ４は、それぞれインバータＩＮ１、ＩＮ２の第１及び第２レファレンス電源を供給する供給ラインである。便宜上、図３ではそれぞれ１つのＰ型及びＮ型トランジスタＭｐ、ＭｎでインバータＩＮ１、ＩＮ２を構成するものと示したが、インバータＩＮ１、ＩＮ２のそれぞれは多数のＰ型トランジスタとＮ型トランジスタで構成されることができるのはもちろんである。
【００６０】
このような本発明の一実施形態に係るセンサ出力安定化部６００は、外部条件感知センサ４００の出力ラインＳｏ１、Ｓｏ２から出力される感知信号の変動を補償する。これにより、感知信号が安定的にセンサ出力増幅部５００に供給され得る。
【００６１】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００６２】
【図１】本発明の一実施形態に係る有機電界発光表示装置を示す平面図である。
【図２】図１に示したセンサ出力安定化部の構成を示す回路図である。
【図３】図２に示したセンサ出力安定化部のレイアウトを示す平面図である。
【符号の説明】
【００６３】
１０              第１導電層
２０              第２導電層
１００            画素部
１１０            画素
２００ａ          第１操作駆動部
２００ｂ          第２操作駆動部
３００            データ駆動部
４００            外部条件感知センサ
５００            センサ出力増幅部
６００            センサ出力安定化部
７００            パッド部
【図１】
0004859890.tif 000002
【図２】
0004859890.tif 000003
【図３】
0004859890.tif 000004